(57)【要約】【課題】ジョブキャンセルの操作性を向上させる。【解決手段】ストップ／クリアキーの押下、又は、ステイタスメニュー画面３３Ｄが表示されているときにポーズキーとして機能する機能キーの押下に応答して、実行中のジョブを一時停止させ、一時停止中及び待機中のジョブリスト画面４０Ｄを表示パネルに表示させ、機能キーの押下に基づくジョブリスト画面４０Ｄ中の選択項目キャンセル指示に応答して、ジョブキャンセル確認画面４３を表示パネルに表示させ、又は、ジョブリスト画面４０Ｄ表示中の機能キーの押下に応答して、該一時停止を解除するとともにジョブリスト画面４０Ｄより１つ前の画面を表示させ、キャンセル確認画面４４での機能キー３５の押下に応答して、ジョブリスト画面４０Ｄ表示へ戻る。また、ストップ／クリアキー４２の押下時に、コピーレディー画面３１Ｄが表示パネルに表示されている場合には、コピー部数を１にクリアさせる。【選択図】図２
2008018622.tif 000002
【特許請求の範囲】
【請求項１】
プロセッサと、
該プロセッサに結合され、コピー、プリント、ファクシミリ又は電子メールの送信、及び、ジョブ制御のプログラムが格納される記憶手段と、
該プロセッサに結合され、表示パネルと、実行中のジョブの一時停止指示を受け付けるストップキーを含む操作キーとを備えた操作パネルと、
を有する画像形成装置において、
該ジョブ制御プログラムは該プロセッサに対し、
（ａ）該ストップキーの押下に応答して、実行中のジョブのうち印刷出力プロセスを、実行中の頁の印刷出力完了後に一時停止させ、
（ｂ）一時停止中及び待機中のジョブリスト画面を該表示パネルに表示させ、
（ｃ）該操作キーの操作に基づく該ジョブリスト画面中の選択項目キャンセル指示に応答して、ジョブキャンセル確認画面を該表示パネルに表示させ、又は、該操作キーの操作に基づくジョブ続行指令に応答して、該一時停止を解除するとともに該ジョブリスト画面より１つ前の画面を表示させ、
（ｄ）該操作キーの操作に基づく該確認画面での肯定応答に応答して、該ステップ（ｂ）へ戻る、
ステップを有することを特徴とする画像形成装置。
【請求項２】
該プログラムはさらに、コピー開始を受け付けるコピーレディー画面と、送信開始を受け付けるセンドレディー画面と、ジョブ状態、ジョブログ及びハードウエアリソースの状態の項目を含むステータスメニュー画面とを該操作キーの操作に応じて選択的に該表示パネルに表示させるプログラムを含み、
該ステップ（ａ）は、該ジョブ制御プログラムが該プロセッサに対し、
（ａ１）該ストップキーの押下に応答して、該コピーレディー画面、該センドレディー画面又は該ステータスメニュー画面が該表示パネルに表示されているか否かを判定させ、
（ａ２）肯定判定した場合に実行中のジョブのうち印刷出力プロセスを、実行中の頁の印刷出力完了後に一時停止させる、
ステップを有することを特徴とする請求項１に記載の画像形成装置。
【請求項３】
該操作キーは、該表示パネルに隣り合って配設された機能キーをさらに有し、
該ステータスメニュー画面には、該機能キーと隣り合う位置に、該機能キーがポーズ指示用であることが表示され、
該ジョブ制御プログラムは該プロセッサに対し、
（ａ１’）該機能キーの押下に応答して、該ステータスメニュー画面が該表示パネルに表示されているか否かを判定させる、
ステップをさらに有し、該ステップ（ａ１’）で肯定判定した場合に該ステップ（ａ２）へ進ませることを特徴とする請求項２に記載の画像形成装置。
【請求項４】
該ストップキーは設定値クリアキーとしても用いられ、
該ジョブ制御プログラムは該プロセッサに対し、該ステップ（ａ）と該ステップ（ｂ）との間に、
（ｅ）該ストップキーの押下時に該コピーレディー画面が該表示パネルに表示されていると判定した場合には、コピー部数を１にクリアさせる、
ステップをさらに有することを特徴とする請求項２又は３に記載の画像形成装置。
【請求項５】
該操作キーはスタートキーを含み、
該ジョブ制御プログラムは該プロセッサに対し、
該スタートキーの押下に応答して、該表示パネルに該コピーレディー画面が表示されていれば、コピージョブのスキャンプロセスを起動させ、
該スキャンプロセスの実行中に該ストップキーが押下された場合には、該コピージョブをキャンセルするとともに実行中の頁の用紙を排出させ、該表示パネルに該コピーレディー画面を表示させる、
ステップをさらに有することを特徴とする請求項１乃至４のいずれか１つに記載の画像形成装置。
【請求項６】
該操作キーはスタートキーを含み、
該ジョブ制御プログラムは該プロセッサに対し、
該スタートキーの押下に応答して、該表示パネルに該センドレディー画面が表示されていれば、センドジョブのスキャンプロセスを起動させ、
該スキャンプロセスの実行中に該ストップキーが押下された場合には、該センドジョブをキャンセルするとともに実行中の頁の用紙を排出させ、該表示パネルに該センドレディー画面を表示させる、
ステップをさらに有することを特徴とする請求項１乃至４のいずれか１つに記載の画像形成装置。
【発明の詳細な説明】
【技術分野】
【０００１】
本発明は、コピー、プリント、ファクシミリ又は電子メールの送受信、及び、ジョブ管理のプログラムがインストールされた画像形成装置に係り、特に、ジョブキャンセル機能を備えた画像形成装置に関する。
【背景技術】
【０００２】
特に小型の画像形成装置では、多機能であり且つ表示パネルのサイズが小さくてタッチパネルでないため、ハードウェアキーの数が多い。ジョブ種毎にストップキーを配設すると、ユーザがキー選択に戸惑うので、ジョブ停止が遅れ、好ましくない。このため、ジョブを停止させるストップキーは、ジョブ種に依存しない１個のみ配設されている。
【０００３】
下記特許文献１には、ストップキーの押下に応答して、ＬＣＤに「停止する処理を選択してください。」のメッセージを、「コピー」、「送信」及び「他機能」の選択文字列とともに表示させ、停止させたい機能の選択文字列上にユーザがカーソルを移動させ再度ストップキーを押下したことに応答して、その処理のみ停止させる構成が開示されている。
【特許文献１】実開平６−１３２５９号公報
【発明の開示】
【発明が解決しようとする課題】
【０００４】
しかしながら、上記特許文献１では、「コピー」、「送信」又は「他機能」の機能選択であるので、現在実行中のジョブしか停止させることができず、待機中ジョブをキャンセルすることができない。このため、待機中ジョブキャンセル用のキー及びその専用メニューを設けなければならず、構成が複雑になるとともに、実行中のジョブを停止させるために誤ってキャンセルキーを押下し、ジョブ停止が遅れることがあるという問題が生ずる。
【０００５】
また、キャンセルキーはクリアキーと混同し易いので、これらの各々を操作パネルに配設すると、ユーザがキー選択で戸惑うことになる。ストップキーとキャンセルキーとクリアキーを１つのキーで兼用することにより、キー配設個数を低減することができるとともに、ユーザがキー選択で戸惑うのを防止することができる。
【０００６】
しかし、実行中ジョブのストップなのか待機中ジョブのキャンセルなのか印刷部数のクリアなのか不明であるので、兼用キー押下後のユーザに対する選択メニュー項目が増加して、操作性が悪化するという問題が生ずる。
【０００７】
さらに、上記特許文献１では、現在実行中のジョブを１つ停止させると、その他のジョブが実行状態となり、複数のジョブを停止させるにはジョブの一時停止とその解除が繰り返されることになるので、不要な処理の停止と実行が繰り返され、不要処理実行時間短縮のために操作を急がなければならず、操作性が悪化するという問題がある。
【０００８】
本発明の目的は、上記問題点に鑑み、ジョブキャンセル操作においてユーザがキー選択で戸惑うのを防止できるようにするとともに、操作性が向上した画像形成装置を提供することにある。
【課題を解決するための手段】
【０００９】
本発明の第１態様では、プロセッサと、
該プロセッサに結合され、コピー、プリント、ファクシミリ又は電子メールの送信、及び、ジョブ制御のプログラムが格納される記憶手段と、
該プロセッサに結合され、表示パネルと、実行中のジョブの一時停止指示を受け付けるストップキーを含む操作キーとを備えた操作パネルと、
を有する画像形成装置において、
該ジョブ制御プログラムは該プロセッサに対し、
（ａ）該ストップキーの押下に応答して、実行中のジョブのうち印刷出力プロセスを、実行中の頁の印刷出力完了後に一時停止させ、
（ｂ）一時停止中及び待機中のジョブリスト画面を該表示パネルに表示させ、
（ｃ）該操作キーの操作に基づく該ジョブリスト画面中の選択項目キャンセル指示に応答して、ジョブキャンセル確認画面を該表示パネルに表示させ、又は、該操作キーの操作に基づくジョブ続行指令に応答して、該一時停止を解除するとともに該ジョブリスト画面より１つ前の画面を表示させ、
（ｄ）該操作キーの操作に基づく該確認画面での肯定応答に応答して、該ステップ（ｂ）へ戻る、
ステップを有する。
【００１０】
本発明による画像形成装置の第２態様では、第１態様において、該プログラムはさらに、コピー開始を受け付けるコピーレディー画面と、送信開始を受け付けるセンドレディー画面と、ジョブ状態、ジョブログ及びハードウエアリソースの状態の項目を含むステータスメニュー画面とを該操作キーの操作に応じて選択的に該表示パネルに表示させるプログラムを含み、
該ステップ（ａ）は、該ジョブ制御プログラムが該プロセッサに対し、
（ａ１）該ストップキーの押下に応答して、該コピーレディー画面、該センドレディー画面又は該ステータスメニュー画面が該表示パネルに表示されているか否かを判定させ、
（ａ２）肯定判定した場合に実行中のジョブのうち印刷出力プロセスを、実行中の頁の印刷出力完了後に一時停止させる、
ステップを有する。
【００１１】
本発明による画像形成装置の第３態様では、第２態様において、該操作キーは、該表示パネルに隣り合って配設された機能キーをさらに有し、
該ステータスメニュー画面には、該機能キーと隣り合う位置に、該機能キーがポーズ指示用であることが表示され、
該ジョブ制御プログラムは該プロセッサに対し、
（ａ１’）該機能キーの押下に応答して、該ステータスメニュー画面が該表示パネルに表示されているか否かを判定させる、
ステップをさらに有し、該ステップ（ａ１’）で肯定判定した場合に該ステップ（ａ２）へ進ませる。
【００１２】
本発明による画像形成装置の第４態様では、第２又は３態様において、該ストップキーは設定値クリアキーとしても用いられ、
該ジョブ制御プログラムは該プロセッサに対し、該ステップ（ａ）と該ステップ（ｂ）との間に、
（ｅ）該ストップキーの押下時に該コピーレディー画面が該表示パネルに表示されていると判定した場合には、コピー部数を１にクリアさせる、
ステップをさらに有する。
【００１３】
本発明による画像形成装置の第５態様では、第１乃至４態様のいずれか１つにおいて、該操作キーはスタートキーを含み、
該ジョブ制御プログラムは該プロセッサに対し、
該スタートキーの押下に応答して、該表示パネルに該コピーレディー画面が表示されていれば、コピージョブのスキャンプロセスを起動させ、
該スキャンプロセスの実行中に該ストップキーが押下された場合には、該コピージョブをキャンセルするとともに実行中の頁の用紙を排出させ、該表示パネルに該コピーレディー画面を表示させる、
ステップをさらに有する。
【００１４】
本発明による画像形成装置の第６態様では、第１乃至４態様のいずれか１つにおいて、該操作キーはスタートキーを含み、
該ジョブ制御プログラムは該プロセッサに対し、
該スタートキーの押下に応答して、該表示パネルに該センドレディー画面が表示されていれば、センドジョブのスキャンプロセスを起動させ、
該スキャンプロセスの実行中に該ストップキーが押下された場合には、該センドジョブをキャンセルするとともに実行中の頁の用紙を排出させ、該表示パネルに該センドレディー画面を表示させる、
ステップをさらに有する。
【発明の効果】
【００１５】
上記第１態様の構成によれば、（ａ）ストップキーの押下に応答して、実行中のジョブのうち印刷出力プロセスを、実行中の頁の印刷出力完了後に一時停止させ、（ｂ）一時停止中及び待機中のジョブリスト画面を表示パネルに表示させ、（ｃ）操作キーの操作に基づく該ジョブリスト画面中の選択項目キャンセル指示に応答して、ジョブキャンセル確認画面を該表示パネルに表示させ、又は、該操作キーの操作に基づくジョブ続行指令に応答して、該一時停止を解除するとともに該ジョブリスト画面より１つ前の画面を表示させ、（ｄ）該操作キーの操作に基づく該確認画面での肯定応答に応答して、該ステップ（ｂ）へ戻る、ステップを有するので、複数のジョブを選択的にキャンセルする場合、ストップキーを１回押下し、ジョブを選択してキャンセルでき、ジョブキャンセル操作においてユーザがキー選択で戸惑うのを防止できるとともに操作性が向上するという効果を奏する。また、ストップキー押下に応答して印刷出力プロセスのみ一時停止させるので、無駄になる可能性のあるハードコピーを一時停止させるとともに、一時停止解除後にハードコピーを続行させる場合に高速出力が可能となるという効果を奏する。
【００１６】
上記第２態様の構成によれば、該ステップ（ａ）が、ジョブ制御プログラムが該プロセッサに対し、（ａ１）該ストップキーの押下に応答して、コピーレディー画面、センドレディー画面又はステータスメニュー画面が該表示パネルに表示されているか否かを判定させ、（ａ２）肯定判定した場合に実行中のジョブのうち印刷出力プロセスを、実行中の頁の印刷出力完了後に一時停止させるステップを有するので、ユーザの誤ったストップキー押下による不必要な応答を防止しつつ、ジョブキャンセル要求に応答することができるという効果を奏する。
【００１７】
上記第３態様の構成によれば、（ａ１’）ポーズ表示と隣り合う位置の機能キーの押下に応答して、該ステータスメニュー画面が該表示パネルに表示されているか否かを判定させるステップをさらに有し、該ステップ（ａ１’）で肯定判定した場合に該ステップ（ａ２）へ進ませるので、この一時停止用機能キー押下によってもジョブキャンセル要求に応答することができ、操作性が向上するという効果を奏する。
【００１８】
上記第４態様の構成によれば、該ステップ（ａ）と該ステップ（ｂ）との間に、（ｅ）設定値クリアキーとしても用いられる該ストップキーの押下時に該コピーレディー画面が該表示パネルに表示されていると判定した場合には、コピー部数を１にクリアさせるステップをさらに有するので、ユーザは戸惑うことなく、コピー部数クリアのみ又はこれとジョブ一時停止とを、少ない操作ステップ数で行うことができるという効果を奏する。
【００１９】
上記第５態様の構成によれば、コピージョブのスキャンプロセス実行中に該ストップキーが押下された場合に、該コピージョブをキャンセルするとともに実行中の頁の用紙を排出させ、該表示パネルに該コピーレディー画面を表示させるステップをさらに有し、一方、コピージョブの印刷出力前且つスキャン中の表示がされているときに該ストップキーが押下された場合にはコピージョブのキャンセルを望む確率が高いと考えられるので、このような特殊なジョブキャンセル処理を、一般的なジョブキャンセル処理を行う上記第１態様と組み合わせることにより、ユーザの操作性がさらに向上するという効果を奏する。
【００２０】
上記第６態様の構成によれば、センドジョブのスキャンプロセス実行中に該ストップキーが押下された場合に、該センドジョブをキャンセルするとともに実行中の頁の用紙を排出させ、該表示パネルに該センドレディー画面を表示させるステップをさらに有し、一方、センドジョブの送信出力前且つスキャン中の表示がされているときに該ストップキーが押下された場合にはセンドジョブのキャンセルを望む確率が高いと考えられるので、このような特殊なジョブキャンセル処理を、一般的なジョブキャンセル処理を行う上記第１態様と組み合わせることにより、ユーザの操作性がさらに向上するという効果を奏する。
【００２１】
本発明の他の目的、構成及び効果は以下の説明から明らかになる。
【実施例１】
【００２２】
図５は、本発明の実施例１に係る画像形成装置１０のハードウェア構成を示す概略ブロック図である。
【００２３】
この画像形成装置１０では、ＭＰＵ１１がインタフェース１２を介して、ＲＯＭ１３Ｒ、ＮＶＲＡＭ１３Ｎ、ＤＲＡＭ１３Ｄ、ハードディスク１４、スキャナ１５、プリンタ１６、モデム１７、ＮＩＣ１８及び操作パネル１９に結合されている。図５では、簡単化のため、複数のインタフェースを１つのブロックで示している。
【００２４】
ＲＯＭ１３Ｒには、ブートストラップ及びＢＩＯＳが格納されている。ＮＶＲＡＭ１３Ｎは、例えばフラッシュメモリであり、これには、オペレーティングシステム（ＯＳ）、ＯＳの上層で動作するアプリケーション及びＯＳの下層で動作する各種デバイスドライバ及び各種設定値が格納されている。このアプリケーションは、画像形成装置１０を複合機として機能させるためのものであり、この機能には、コピー、スキャン、プリント及びファクシミリがある。ＤＲＡＭ１３Ｄはワークエリア用であり、ハードディスク１４はデータ格納用である。
【００２５】
スキャナ１５は、コピー及びファックス送信での画像入力用である。プリンタ１６は、プリントエンジン、定着器並びに用紙の給紙部、搬送部及び排紙部を備えており、印刷データとして供給されるビットマップデータに基づいてプリントエンジンの感光ドラムに静電潜像を形成し、これをトナーで現像し、用紙に転写し定着させた後に排紙する。モデム１７は、ファックス送受信用である。ＮＩＣ１８は、ネットワーク上のホストコンピュータ２０に結合されてプリントジョブに用いられる。操作パネル１９は、設定値又は指示を入力し、設定画面や状態などを表示させるためのものである。
【００２６】
図４は、操作パネル１９の平面図である。
【００２７】
この操作パネル１９では、小型の表示パネル３０を備えており、その文字表示サイズは例えば２１文字／行×５行と比較的小さい。表示パネル３０がパネルタッチパネルで無いことと、画像形成装置１０の機能数が多いことから、操作パネル１９には多数の操作キーが配設されている。図４中、小さな円形は、キーのオン/オフ表示用ＬＥＤである。
【００２８】
コピーキー３１、センドキー３２又はステータス/ジョブキャンセルキー３３を押下すると、それぞれ図２に示すようなコピーレディー画面３１Ｄ、センドレディー画面３２Ｄ又はステータスメニュー画面３３Ｄが表示される。
【００２９】
コピーレディー画面３１Ｄにおいて、１行目はコピーがレディー状態であることを示しており、この状態で図４のスタートキー３４を押下すると、コピーレディー画面３１Ｄの２〜４行目に表示された既定値に基づいて、コピージョブが生成される。２行目は、コピー部数が１であることを示している。３行目は、Ａ４横置き原稿をスキャンして給紙段１のＡ４縦置き用紙にコピーすることを示している。
【００３０】
この操作パネル１９では一般に、５行目は、図４に示す機能キー３５及び３６の機能を示しており、機能キー３５又は３６の押下に応答して、表示パネル３０の画面がその機能のものに遷移する。例えば、コピーレディー画面３１Ｄが表示されているときにスタートキー３４を押下すると、拡大倍率設定画面に遷移する。４行目には、この押下後に設定した値又は既定値が表示され、図２のコピーレディー画面３１Ｄには"拡大倍率１００％"が表示されている。
【００３１】
センドレディー画面３２Ｄもコピーレディー画面３１Ｄと同様であり、１行目はデータ送信がレディー状態であることを示している。送信の種類には、電子メールとファクシミリとがあり、３行目の先頭部のアイコンがこの種類を示している。２行目は、同報送信数を示している。３行目は、宛先の番号又はアドレスを示している。機能キー３５を押下すると、原稿台上への原稿置き方の設定画面に遷移し、機能キー３６を押下すると、送信内容の件名設定画面に遷移する。センドレディー画面３２Ｄ中の表示"off"は、件名がユーザにより設定されていないので、所定の規則に従って件名が自動付加されることを示している。
【００３２】
ステータスメニュー画面３３Ｄは、第１行の画面名と、最後の行の機能キー名（一時停止）との間に、メニュー項目のスクロール部を有し、表示パネル３０にはスクロール部のうち３行分のメニュー項目が表示される。スクロールは、図４のアップキー３７又はダウンキー３８を押下することにより行われる。レフトキー３９又はライトキー４０を押下すると、反転表示された選択項目が上下に遷移し、エンターキー４１を押下すると、選択された項目についての状態表示画面に遷移する。スクロール対象の第１行及び第２行のメニュー項目はそれぞれ、プリントジョブ及びセンドジョブの状態であり、この項目選択後の状態表示画面には、"実行中"又は"待機中"が表示される。スクロール対象の第３行及び第４行のメニュー項目はそれぞれ、終了したプリントジョブ及びセンドジョブのログである。スクロール対象の第５行及び第６行のメニュー項目はそれぞれ、スキャナ及びプリンタの状態であり、この項目選択後の状態表示画面には、"レディー"、"実行中"又は"エラー"が表示される。
【００３３】
ここで、画像形成装置１０は、ハードウェアリソースが競合しない限り、ジョブを並列実行可能であり、また、ジョブには実行中のものと待機中のものとがあり、しかも複数のジョブ種がある。このため、ユーザが戸惑うことなくジョブをキャンセルし又はコピー部数を容易にクリアできるようにすることが要求される。
【００３４】
図４において、ストップ/クリアキー４２はジョブのキャンセルに関係した一時停止キーと設定値クリアキーとを兼用している。この兼用により、ユーザがジョブの一時停止、実行中又は待機中のジョブのキャンセル又はコピー部数のクリアをするとき、どのキーを押せばよいのか戸惑うのを防止することができる。
【００３５】
図１は、上記ストップ/クリアキー４２の押下又は状態メニュー３３Ｄでの機能キー３５の押下に応答して開始される処理を示すフローチャートである。以下、カッコ内は図中のステップ識別符号を示す。
【００３６】
ここで、表示パネル３０の画面は、図２のコピーレディー画面３１Ｄ、センドレディー画面３２Ｄ又はステータスメニュー画面３３Ｄの基本画面と、その他の設定画面とに分けられる。
【００３７】
（Ｓ０）表示パネル３０の画面が基本画面である場合にはステップＳ１へ進み、そうでなければステップＳ９へ進む。
【００３８】
（Ｓ１、Ｓ２）コピーレディー画面３１Ｄであれば、コピー部数をクリアして"１"にする。
【００３９】
（Ｓ３）実行中のジョブについて、印刷出力プロセスを一時停止させる。「一時停止」は、実行中の頁の印刷出力が完了した後に行われる。
【００４０】
ここで、ジョブは一般に入力プロセス、データ処理プロセス及び出力プロセスからなり、印刷出力プロセス以外は続行させる。例えば、ファクシミリ受信ジョブにおいてファクシミリ受信プロセスと受信データ処理プロセスと受信データ印刷出力プロセスとが並行して実行中の場合、受信データ印刷出力プロセスのみ一時停止させる。コピージョブにおいても印刷出力プロセスのみ一時停止させる。
【００４１】
次に、図２に示す一時停止ジョブリスト画面４０Ｄを表示させる。このリストには、一時停止中、実行中（ファクシミリ受信又は電子メール受信）及び待機中の全てのジョブが含まれている。コピー、プリント及び送信のジョブ種は、アイコンで表示される。コピーの場合、原稿のコピーであるのかハードディスク１４内のファイルの内容印刷であるのかが区別されて表示される。プリントの場合、プリント対象のファイル名が表示される。送信の場合、ファクシミリ番号又は電子メールアドレスが表示される。
【００４２】
一時停止ジョブリスト画面４０Ｄもステータスメニュー画面３３Ｄと同様のスクロール画面であり、リストのスクロール及び項目の選択が同様にして行われる。この場合の機能キー３５及び３６はそれぞれ、キャンセルキー及びレジュームキーとして用いられる。
【００４３】
（Ｓ４）機能キー３５が押下されるとステップＳ５へ進み、機能キー３６が押下されるとステップＳ８へ進む。
【００４４】
（Ｓ５）一時停止ジョブリスト画面４０Ｄで選択された項目のジョブキャンセルの確認を行うために、図２のジョブキャンセル確認画面４３を表示パネル３０に表示させる。この場合の機能キー３５及び３６はそれぞれ、このキャンセルに対する"イエス"及び"ノー"の応答を入力するためのものである。
【００４５】
（Ｓ６）機能キー３５が押下されればステップＳ７へ進み、機能キー３６が押下されればステップＳ１へ戻る。
【００４６】
（Ｓ７）選択されたジョブをキャンセルするとともに、図２に示すキャンセル中表示画面４４を所定時間表示させて、ステップＳ３へ戻る。これにより、キャンセルしたジョブ以外の一時停止中のジョブがこの一時停止を継続し、該一時停止中のジョブを直ぐにキャンセルすることが可能となるので、複数ジョブのキャンセルを容易に行うことができる。
【００４７】
（Ｓ８）元の画面（基本画面のいずれか）を表示させるとともに、一時停止しているジョブを続行させ、図１の処理を終了する。
【００４８】
（Ｓ９）スキャン中であればステップＳ１０へ進み、そうでなければステップＳ１１へ進む。
【００４９】
スキャンは、図３（Ａ）に示すコピーレディ画面３１Ｄ又は図３（Ｂ）に示すセンドレディ画面３２Ｄにおいてスタートキー３４を押下することにより開始され、それぞれスキャン中画面３１Ｓ又は３２Ｓが表示される。スキャン中においては、機能キー３５がスキャンキャンセルキーとして用いられ、このキーを押下してもステップＳ１０と同じ処理が行われる。
【００５０】
（Ｓ１０）スキャン中のコピージョブ又はセンドジョブをキャンセルし、スキャン中の用紙を排出させて、スキャン前のコピーレディ画面３１Ｄ又はセンドレディ画面３２Ｄを表示させ、図１の処理を終了する。
【００５１】
したがって、この状態でストップ/クリアキー４２を押下すると、図１の処理が再開され、ステップＳ０〜Ｓ３と進んで一時停止ジョブリスト画面４０Ｄが表示される。
【００５２】
（Ｓ１１）設定画面であればステップＳ１２へ進み、そうでなければ図１の処理を終了する。
【００５３】
（Ｓ１２）選択されている項目（カーソル位置の項目）の設定値をクリアし、図１の処理を終了する。
【００５４】
本実施例１によれば、ストップ／クリアキー４２の押下、又は、ステータスメニュー画面３３Ｄが表示されているときにポーズキーとして機能する機能キー３５の押下に応答して、実行中のジョブを一時停止させ、一時停止中及び待機中のジョブリスト画面４０Ｄを表示パネル３０に表示させ、機能キー３５の操作に基づくジョブリスト画面４０Ｄ中の選択項目キャンセル指示に応答して、ジョブキャンセル確認画面４３を表示パネル３０に表示させ、又は、ジョブリスト画面４０Ｄ表示中に機能キー３６の押下に応答して、該一時停止を解除するとともにジョブリスト画面４０Ｄより１つ前の画面を表示させ、キャンセル確認画面４４での機能キー３５の押下に応答して、ジョブリスト画面４０Ｄの表示へ戻るので、複数のジョブを選択的にキャンセルする場合、ストップ／クリアキー４２を１回押下し、ジョブを選択してキャンセルでき、ジョブキャンセル操作においてユーザがキー選択で戸惑うのを防止できるとともに操作性が向上するという効果を奏する。また、ストップキー押下に応答して印刷出力プロセスのみ一時停止させるので、無駄になる可能性のあるハードコピーを一時停止させるとともに、一時停止解除後にハードコピーを続行させる場合に高速出力が可能となるという効果を奏する。
【００５５】
また、ストップ／クリアキー４２の押下に応答して、コピーレディー画面３１Ｄ、送信レディー画面３２Ｄ又はステータスメニュー画面３３Ｄが表示パネル３０に表示されていれば、実行中のジョブのうち印刷出力プロセスを、実行中の頁の印刷出力完了後に一時停止させるので、ユーザの誤ったストップ／クリアキー４２の押下による不必要な応答を防止しつつ、ジョブキャンセル要求に応答することができるという効果を奏する。
【００５６】
また、ジョブキャンセル前のポーズ表示に対応した機能キー３５の押下によっても、ジョブキャンセル要求に応答することができるので、操作性が向上するという効果を奏する。
【００５７】
さらに、ストップ／クリアキー４２の押下時に、コピーレディー画面３１Ｄが表示パネル３０に表示されている場合には、コピー部数を１にクリアさせるので、ユーザは戸惑うことなく、コピー部数クリアのみ又はこれとジョブ一時停止とを、少ない操作ステップ数で行うことができるという効果を奏する。
【００５８】
さらにまた、コピージョブのスキャンプロセス実行中にストップ／クリアキー４２又はキャンセル機能キー３５が押下された場合に、このコピージョブをキャンセルするとともに実行中の頁の用紙を排出させ、表示パネルにコピーレディー画面を表示させ、一方、コピージョブの印刷出力前且つスキャン中の表示がされているときにこれらいずれかのキーが押下された場合にはコピージョブのキャンセルを望む確率が高いと考えられるので、このような特殊なジョブキャンセル処理を、一般的なジョブキャンセル処理と組み合わせることにより、ユーザの操作性がさらに向上するという効果を奏する。
【００５９】
同様に、センドジョブのスキャンプロセス実行中にストップ／クリアキー４２又はキャンセル機能キー３５が押下された場合に、このセンドジョブをキャンセルするとともに実行中の頁の用紙を排出させ、表示パネルにセンドレディー画面を表示させ、一方、センドジョブの送信出力前且つスキャン中の表示がされているときにこれらいずれかのキーが押下された場合にはセンドジョブのキャンセルを望む確率が高いと考えられるので、このような特殊なジョブキャンセル処理を、一般的なジョブキャンセル処理と組み合わせることにより、ユーザの操作性がさらに向上するという効果を奏する。
【図面の簡単な説明】
【００６０】
【図１】本発明の実施例１に係る画像形成装置の、ストップ/クリアキーの押下又は状態メニューでの機能キーの押下に応答して開始される処理を示すフローチャートである。
【図２】図１の処理の説明に供する表示画面とその遷移を示す図である。
【図３】図１の処理の説明に供する他の表示画面とその遷移を示す図である。
【図４】操作パネルの平面図である。
【図５】本発明の実施例１に係る画像形成装置のハードウェア構成を示す概略ブロック図である。
【符号の説明】
【００６１】
１０  画像形成装置
１１  ＭＰＵ
１２  インタフェース
１３Ｒ  ＲＯＭ
１３Ｎ  ＮＶＲＡＭ
１３Ｄ  ＤＲＡＭ
１４  ハードディスク
１５  スキャナ
１６  プリンタ
１７  モデム
１８  ＮＩＣ
１９  操作パネル
２０  ホストコンピュータ
３０  表示パネル
３１  コピーキー
３２  センドキー
３３  ステータス/ジョブキャンセルキー
３４  スタートキー
３５、３６  機能キー
３７  アップキー
３８  ダウンキー
３９  レフトキー
４０  ライトキー
４１  エンターキー
４２  ストップ/クリアキー
３１Ｄ  コピーレディー画面
３２Ｄ  センドレディー画面
３３Ｄ  ステータスメニュー画面
４０Ｄ  一時停止ジョブリスト画面
４３  ジョブキャンセル確認画面
４４  キャンセル中表示画面
【図１】
2008018622.tif 000003
【図２】
2008018622.tif 000004
【図３】
2008018622.tif 000005
【図４】
2008018622.tif 000006
【図５】
2008018622.tif 000007